(57)【要約】【課題】回動自在の電池蓋を外装部材に軸支する場合において、電池蓋の開き方向の静圧強度と外装面の品質とを向上させることを目的とする。【解決手段】外装部材４０に対して電池蓋２０が回動自在に取り付けられる電子機器１であって、前記外装部材４０は、前記電池蓋２０の回動軸２２を軸支する軸支部４３と、前記軸支部４３に隣接した補強リブ４７とが設けられている。前記補強リブ４７は、少なくとも前記電池蓋２０の回動軸２２の軸方向と略直交する方向であって、前記外装部材４０の２つの略直交する面部１ａ、１ｂの間に亘って立設されている。【選択図】図２
2011154899.tif 000002
【特許請求の範囲】
【請求項１】
外装部材に対して電池蓋が回動自在に取り付けられる電子機器であって、
前記外装部材は、前記電池蓋の回動軸を軸支する軸支部と、前記軸支部に隣接した補強リブとが設けられていることを特徴とする電子機器。
【請求項２】
前記補強リブは、少なくとも前記電池蓋の回動軸の軸方向と略直交する方向であって、前記外装部材の２つの略直交する面部の間に亘って立設されていることを特徴とする請求項１に記載の電子機器。
【請求項３】
前記補強リブは、前記回動軸の端面を側方から覆う位置に立設されていることを特徴とする請求項１または２に記載の電子機器。
【請求項４】
前記外装部材は、前記電池蓋の軸基部の両側から突出する同軸の回動軸をそれぞれ軸支する２つの前記軸支部と、
前記２つの軸支部を間に挟むように２つの前記補強リブとが設けられていることを特徴とする請求項１ないし３の何れか１項に記載の電子機器。
【請求項５】
前記外装部材は、前記補強リブに隣接して、前記外装部材に固定される部材を締結する部材締結部が設けられていることを特徴とする請求項１ないし４の何れか１項に記載の電子機器。
【請求項６】
前記外装部材に固定される部材は、電池を収納する電池収納部であって、
前記部材締結部には、前記電池収納部を前記外装部材の外装面側から外装ビスを用いて締結されることを特徴とする請求項５に記載の電子機器。
【請求項７】
前記外装部材は、前記電池蓋の回動軸を前記軸支部に保持する方向に付勢する弾性腕部が設けられていることを特徴とする請求項１ないし６の何れか１項に記載の電子機器。
【請求項８】
前記軸支部は、前記外装部材の隣接する２つの略直交する面部の間で形成される稜線部に隣接して設けられていることを特徴とする請求項１ないし７の何れか１項に記載の電子機器。
【発明の詳細な説明】
【技術分野】
【０００１】
本発明は、電子機器に関するものであり、特に電子機器本体に対して回動自在に軸支される電池蓋の保持構造に関するものである。
【背景技術】
【０００２】
従来から、電池を電源として用いる携帯可能な電子機器が多く知られている。このような電子機器では、一般に電子機器本体に電池が装着可能に構成されている。電池を電子機器に装着する場合、電子機器本体に配設された電池室に電池を入れ、電池蓋を閉めることで装着される。
電池蓋を電子機器本体に保持する構造として、例えば、特許文献１に開示された電子機器では、電池の収納空間を有する電池装着部に対して電池蓋が軸支されるような保持構造を有している。このような構造により、保持構造の強度確保および利便性向上が図られている。
【先行技術文献】
【特許文献】
【０００３】
【特許文献１】特開２００８−０６６１９８号公報
【発明の概要】
【発明が解決しようとする課題】
【０００４】
しかしながら、特許文献１に開示されるように電池蓋の回転軸が電池装着部に軸支される保持構造では、電池蓋とこの電池蓋に隣接する同一外装面である外装部材との間に電池装着部や他の機構部材が介在する。したがって、電池蓋と外装部材との間で段差が生じやすく、外装面の品質の向上が困難であるという問題がある。一方、外装面の品質の向上が図れたとしても、電池蓋を開閉したときに外装部材に加わる力に対して外装部材の強度が弱いと問題がある。
本発明は、上述したような問題点に鑑みてなされたものであり、電池蓋と外装部材との間に段差が生じないようにして外装面の品質を向上させると共に外装部材の強度を向上させることを目的とする。
【課題を解決するための手段】
【０００５】
本発明は、外装部材に対して電池蓋が回動自在に取り付けられる電子機器であって、前記外装部材は、前記電池蓋の回動軸を軸支する軸支部と、前記軸支部に隣接した補強リブとが設けられていることを特徴とする。
【発明の効果】
【０００６】
本発明によれば、電池蓋を閉めた状態において、外装部材と電池蓋との間の段差を少なくして外装面の品質が向上させると共に外装部材の強度を向上させることができる。
【図面の簡単な説明】
【０００７】
【図１】本実施形態に係るカメラ全体の概略構成を示す斜視図である。
【図２】本実施形態に係るフロントカバーの概略構成を示す斜視図である。
【図３】本実施形態に係る電池蓋および電池蓋取付部の斜視図である。
【図４】本実施形態に係る電池蓋取付構造の断面図である。
【発明を実施するための形態】
【０００８】
以下、本発明に係る実施形態について図面を参照して説明する。本実施形態では、電子機器としてデジタル一眼レフカメラ（以下、カメラという）を取り上げて説明する。各図では、必要に応じてカメラの撮影方向を前方としてＦｒで示し、その反対方向を後方としてＲｒで示し、撮影方向に対して右側をＲで示し、左側をＬで示している。
【０００９】
（カメラの全体の概略構成）
まず、本実施形態に係るカメラの全体の概略構成について図１を参照して説明する。図１は、本実施形態に係るカメラの外観図であり、撮影レンズユニット（不図示）を外した状態を示している。図１（ａ）は、カメラを前面側（被写体側）から見た斜視図であり、図１（ｂ）は、カメラを背面側（撮影者側）から見た斜視図である。
【００１０】
図１（ａ）に示すように、カメラ本体１の正面には、撮影レンズユニットを着脱可能に固定するマウント部２が設けられている。マウント部２には、カメラ本体１と撮影レンズユニットとの間で制御信号、状態信号およびデータ信号等の通信を可能にし、撮影レンズユニット側に電力を供給するマウント接点３が設けられている。また、カメラ本体１には、マウント部２の近接した位置に、装着された撮影レンズユニットを取り外すときに押下するレンズロック解除ボタン４が設けられている。
【００１１】
カメラ本体１の内部には、撮影レンズを通過した撮影光束が導かれるミラーボックス５が設けられている。ミラーボックス５内には、撮影光束を所定の方向に反射させるメインミラー（クイックリターンミラー）６が配設されている。図１に示すように、メインミラー６は撮影光束をペンタダハミラーの方向に導くように撮影光軸に対して４５°の角度に保持される状態と、固定撮像素子の方向に導くように撮影光束から退避した位置に保持される状態とに変化する。
【００１２】
カメラ本体１には撮影者がカメラ本体１を保持するためのグリップ部９が設けられている。グリップ部９は、滑止部材で形成され、その上部にレリーズボタン１０が設けられている。
【００１３】
カメラ本体１の上部には、カメラ本体１に対してポップアップするストロボユニット１１、フラッシュ取り付け用のシュー溝１２およびフラッシュ接点１３が設けられている。カメラ本体１には撮影者がカメラ本体１を保持するためのコーナラバー部１４が設けられている。コーナラバー部１４は、カメラ本体１の前面部１ａ、底面部１ｂおよび左側面部１ｃに亘って設けられている。この部分にコーナラバー部１４が設けられることで、カメラ本体１の傷つきや塗装剥げを防止することができる。
【００１４】
また、図１（ｂ）に示すように、カメラ本体１の背面部１ｄには、上述したメインミラー６により反射された撮像光束を撮影者が観察できるファインダ接眼窓１６が設けられている。ファインダ接眼窓１６の下方には、画像表示可能なカラー液晶モニタ１７が設けられている。また、カメラ本体１の底面部１ｂの右側面部１ｅ側には、電池蓋２０が設けられている。ここで、本実施形態の電池蓋２０は、カメラ本体１の前面部１ａを構成する外装部材としてのフロントカバー４０に対して回動自在に軸支されている。
【００１５】
（フロントカバーの概略構成）
次に、フロントバーの構成について図２を参照して説明する。図２は、本実施形態に係るフロントカバーの外観図である。図２（ａ）は、フロントカバーを前面側（被写体側）から見た斜視図であり、図２（ｂ）は、フロントカバーを背面側（撮影者側）から見た斜視図である。
【００１６】
フロントカバー４０は、射出成形によって成形された樹脂部材であって、上述したグリップ部９が一体で形成されている。また、図２（ｂ）に示すように、上述したコーナラバー部１４がフロントカバー４０に対して、後方からビス１５を用いて固定されている。コーナラバー部１４は、外装面側にエラストマー部材が配置され、ビス１５側に樹脂部材（モールド部材）が配置された２色成形により構成されている。したがって、コーナラバー部１４は、フロントカバー４０への固定、外装における滑り止めおよび塗装剥げの防止の役割を兼ねている。
【００１７】
また、図２（ｂ）に示すように、フロントカバー４０の底面部１ｂの右側面部１ｅ側であって前面部１ａに近接した部位、すなわち底面部１ｂと前面部１ａとの稜線部１ｆに隣接して、電池蓋２０を装着する電池蓋取付部４１が形成されている。
【００１８】
（電池蓋および電池蓋取付部の構成）
次に、電池蓋および電池蓋取付部の構成について図３を参照して説明する。図３は、電池蓋および電池蓋取付部の斜視図である。図３（ａ）は、電池蓋取付部に電池蓋を取り付ける前の状態を示す斜視図である。図３（ｂ）は、電池蓋取付部に電池蓋を取り付けた状態を示す斜視図である。
【００１９】
電池蓋２０は、略矩形の平板状に形成され、一方の長辺２０ａには軸基部２１が一体で形成されている。軸基部２１の両側には同軸の回動軸２２が突出して形成されている。また、電池蓋２０の他方の長辺２０ｂには、ロック爪２３が図３（ａ）に示す矢印Ａ方向に突出するように付勢されている。電池蓋２０を外装部材としての背面カバー（不図示）に対して閉じる場合、ロック爪２３が背面カバーと当接することで付勢に抗して退避し、完全に閉じた状態になったとき突出し、背面カバーと係止する。また、電池蓋２０を開ける場合、ロック爪２３と一体化されたツマミ２４（図１（ｂ）を参照）を付勢方向と逆方向に指でスライドさせることにより、背面カバーとの係止を解除する。
【００２０】
一方、電池蓋取付部４１には、電池蓋２０の軸基部２１が嵌合する切欠き部４２が形成されている。切欠き部４２の両側には、電池蓋２０の回動軸２２を軸支する軸支部４３が形成されている。軸支部４３は、電池蓋２０の回動軸２２の曲率と合致する断面略半円状に形成されている。また、電池蓋取付部４１には、電池蓋２０の回動軸２２を保持する保持部材４５が固定ネジ５０により取り付けられている。保持部材４５は、射出成形によって成形された樹脂部材であって、２つの弾性腕部４６が一体で形成されている。弾性腕部４６は、保持部材４５が電池蓋取付部４１に取り付けられた状態では、２つの軸支部４３を上方から覆うような態様で突出しているので、電池蓋２０の回動軸２２を軸支部４３から抜け出ないように保持することができる。また、弾性腕部４６は、上方に弾性変形することができるので、弾性変形させて電池蓋２０の回動軸２２を軸支部４３に挿入したり、引き抜いたりすることができる。図３（ｂ）は、回動軸２２を軸支部４３に挿入して、電池蓋２０を電池蓋取付部４１に取り付け、電池蓋２０を閉めた状態の斜視図である。
【００２１】
また、フロントカバー４０の底面部１ｂには、軸支部４３に近接した位置、ここでは軸支部４３に隣接させて２つの補強リブ４７が立設している。より具体的には、２つの補強リブ４７は、電池蓋取付部４１および２つの軸支部４３を間に挟むようにして立設されている。また、電池蓋２０が電池蓋取付部４１に取り付けられた状態では、各補強リブ４７は、電池蓋２０の回動軸２２の各端面２２ａを側方から覆う位置にある。
各補強リブ４７は、電池蓋２０の回動軸２２の軸方向と略直交する方向、すなわちカメラ本体１の前後方向に沿うように配置され、フロントカバー４０の剛性を高めている。なお、各補強リブ４７の前方は、前面部１ａにまで到達し、フロントカバー４０の略直交する前面部１ａと底面部１ｂとの間に亘って設けられている。
【００２２】
さらに、フロントカバー４０の底面部１ｂの各補強リブ４７の外側は、電池収納部６０をフロントカバー４０に固定するための部材締結部としての外装ビス締め部４８になっている。すなわち、フロントカバー４０の底面部１ｂには、補強リブ４７に隣接して外装ビス締め部４８が設けられている。
ここで、電池収納部６０は、射出成形によって成形された樹脂部材であって、図３（ａ）の二点鎖線で示すように電池（不図示）を収納することができる程度の大きさの箱状に形成されている。電池収納部６０は、外装ビス締め部４８の位置で外装ビス５１を用いてフロントカバー４０の外側から螺合されることで、フロントカバー４０に取り付けられる。なお、図３（ａ）および図３（ｂ）には、外装ビス５１のネジ部のみが現れている。
したがって、外装ビス５１を介して締結された電池収納部６０により外装ビス締め部４８およびその隣接した部位の剛性が高められる。
このように、フロントカバー４０に設けられた補強リブ４７および外装ビス締め部４８によって、電池蓋２０が開閉されるときに加わる力に対して静圧強度の確保が可能となっている。なお、本実施形態では、外装ビス締め部４８には、樹脂製の電池収納部６０を締結したが、カメラ内部の金属シャシー等を締結してもよい。
【００２３】
（電池蓋の開閉および装着構造）
次に、電池蓋取付部に対する電池蓋の開閉構成および装着構成について図４を参照して説明する。図４は、図３（ｂ）に示す電池蓋２０の回動軸２２および弾性腕部４６を通るようなＩ−Ｉ線で切断した断面図である。
図４（ａ）は、電池蓋が外装ケースに対して閉じた状態を示す断面図である。図４（ａ）に示すように、軸支部４３は、フロントカバー４０の直交する前面部１ａと底面部１ｂとの稜線部１ｆに近接した位置の電池蓋取付部４１に直接、設けられていることにより、フロントカバー４０と電池蓋２０の間に他の機構部材が介在しない。したがって、電池蓋２０とフロントカバー４０とを近接させて、同一の外装面を構成することができ、電池蓋２０とフロントカバー４０との間に段差がなく、外装面の品質を向上させることができる。
【００２４】
図４（ｂ）は、電池蓋が外装ケースに対して途中まで開いた状態を示す断面図である。図４（ｂ）に示すように、保持部材４５の弾性腕部４６の先端部４６ａは、後斜め下方に傾斜して突出している。したがって、電池蓋２０をこの先端部４６ａの傾斜に沿った方向に挿入したり引き抜いたりすることで、電池蓋２０を軸支部４３に着脱することができる。例えば、図４（ｂ）に示す状態から電池蓋２０を取り外す場合、電池蓋２０を矢印Ｂ方向に引き抜くことで、弾性腕部４６が回動軸２２に押圧され付勢力に抗して上方に持ち上がり、軸支部４３から外れる。一方、電池蓋２０を挿入する場合、電池蓋２０を矢印Ｂ方向と反対方向に挿入することで回動軸２２が軸支部４３に軸支される。
【００２５】
図４（ｃ）は、電池蓋が外装ケースに対して開き切った状態を示す断面図である。ここで、図４（ｃ）に示す状態からユーザが誤って、さらに矢印Ｃ方向の開方向に力を加えてしまうことがある。この場合、電池蓋２０の軸基部２１や回動軸２２を介してフロントカバー４０を変形させようとする外力が加わるものの、補強リブ４７が軸支部４３に隣接して設けられていることから、フロントカバー４０の強度を向上させることができる。また、外装ビス締め部４８が軸支部４３に隣接して設けられていることから、外装ビス締め部４８に取り付けられる電池収納部６０によりフロントカバー４０の強度を向上させることができる。
【００２６】
このように、本実施形態によれば、電池蓋２０を閉めた状態において、フロントカバー４０と電池蓋２０との間の段差を少なくすることができ、外装面の品質が向上させることができる。また、フロントカバー４０の軸支部４３に対して加わる力に対し、強度を向上させることができる。
以上、本発明の好ましい実施形態について説明したが、本発明はこれらの実施形態に限定されず、その要旨の範囲内で種々の変形及び変更が可能である。
【００２７】
例えば、上述した実施形態では、補強リブ４７は、電池蓋２０の回動軸２２の軸方向に対して直交する方向に沿って立設している場合についてのみ説明したが、この場合に限られず、回動軸２２の軸方向と同方向の補強リブが付加されていてもよい。
また、電池蓋取付部４１の軸支部４３は、略直交する前面部１ａと底面部１ｂとの間で形成される稜線部１ｆに隣接して、設けられる場合について説明したが、この場合に限られず、他の２つの略直交する面部の間で形成される稜線部に隣接させて設けてもよい。
また、補強リブ４７は、略直交する前面部１ａと底面部１ｂとの間に亘って設けられる場合について説明したが、この場合に限られず、他の２つの略直交する面部の間に亘って設けられていてもよい。
また、電子機器としてカメラを取り上げて説明したが、電池蓋を回動可能な他の機器にも適応することができる。
【符号の説明】
【００２８】
１：カメラ本体  ２０：電池蓋  ２１：軸基部  ２２：回動軸  ４０：フロントカバー（外装部材）  ４１：電池蓋取付部  ４３：軸支部  ４５：保持部材  ４６：弾性腕部  ４７：補強リブ  ４８：外装ビス締め部（部材締結部）  ５１：外装ビス  ６０：電池収納部
【図１】
2011154899.tif 000003
【図２】
2011154899.tif 000004
【図３】
2011154899.tif 000005
【図４】
2011154899.tif 000006